(57)【特許請求の範囲】
【請求項１】
貯留槽内に設置された吸引管の貯留槽内方端から吸引管軸線に対して交差する方向へ突出する第１のストレーナの全体、並びに吸引管の第１のストレーナ寄りの周方向半分を被覆可能な第１のブーツと、吸引管の貯留槽内方端から第１のストレーナと略同軸に且つ第１のストレーナとは逆方向へ突出する第２のストレーナの全体、並びに吸引管の第２のストレーナ寄りの周方向半分を被覆可能な第２のブーツと、両ブーツの吸引管軸線に沿って延びる縁部を相互に締結可能な水密ファスナと、吸引管外周面に巻き付け得られ且つ両ブーツの内側面の吸引管周方向に沿って延びる縁部近傍に接し得るシール部材と、両ストレーナ及び吸引管を両ブーツにより被覆し且つ水密ファスナで両ブーツを相互に締結したときに両ブーツの吸引管周方向に沿って延びる縁部近傍を吸引管に固縛し得る固定具とを備え、両ブーツとシール部材とを水密性及び伸縮性を具備した素材によって形成したことを特徴とするサクションストレーナ閉止装置。
【請求項２】
吸引管外周面にシール部材を巻き付け、第１のストレーナの全体、並びに吸引管の第１のストレーナ寄りの周方向半分を第１のブーツで被覆し、第２のストレーナの全体、並びに吸引管の第２のストレーナ寄りの周方向半分を第２のブーツで被覆した後、両ブーツの吸引管軸線に沿って延びる縁部を水密ファスナにより相互に締結し、両ブーツの吸引管周方向に沿って延びる縁部近傍を固定具で吸引管に固縛することを特徴とする請求項１に記載のサクションストレーナ閉止装置の使用方法。
【発明の詳細な説明】
【０００１】
【発明の属する技術分野】
本発明は、サクションストレーナ閉止装置及び該装置の使用方法に関するものである。
【０００２】
【従来の技術】
図３から図５は原子炉設備の一例を示すもので、この原子炉設備は、蒸気発生源となる原子炉圧力容器１と、上端が開口した格納容器本体２及び該格納容器本体２の開口を閉止する上蓋３で構成され且つ前記の原子炉圧力容器１を格納する原子炉格納容器４と、該原子炉格納容器４の下部を周方向に取り囲むトーラス形状のサプレッションチェンバ５と、上端部が原子炉格納容器４内に連通し且つ下端部がサプレッションチェンバ５に連通するベント管６とを備えており、原子炉設備の稼働時においては、常時、サプレッションチェンバ５内に水７が貯留されている。
【０００３】
ベント管６の下端部は、サプレッションチェンバ５内の水７に没しており、原子炉格納容器４内の主蒸気管２９の圧力が設定値以上になった場合に逃し安全弁３０から吐出する蒸気を、逃し配管３１よりサプレッションチェンバ５内の水７中へ導いて凝縮させ、原子炉格納容器４内の圧力上昇を抑制するようになっている。
【０００４】
また、サプレッションチェンバ５内には、サクションストレーナ８が設置されている。
【０００５】
サクションストレーナ８は、サプレッションチェンバ５の内底部近傍においてチェンバ壁部９を貫通するＴ字管状の吸引管１０と、該吸引管１０のチェンバ５内方端の一方の開口部分にフランジ１３，１４を介して締結された第１のストレーナ１１と、前記の吸引管１０のチェンバ５内方端の他方の開口部分にフランジ１５，１６を介して締結された第２のストレーナ１２とによって構成されている。
【０００６】
吸引管１０のチェンバ５外方端には、水没弁２５及びポンプ（図示せず）を有する非常用炉心冷却系の配管２６が接続されており、該配管２６によって、サプレッションチェンバ５に貯留されている水７を、原子炉圧力容器１内に配置されているスプレーノズルへ送給できるようになっている。
【０００７】
従来、非常用炉心冷却系の配管２６に付帯する水没弁２５の開放点検は、サプレッションチェンバ５の内面の塗装補修に伴ってサプレッションチェンバ５の水７を抜くときに実施していた。
【０００８】
水没弁２５を開放する際には、サプレッションチェンバ５内の水７を、原子炉設備の他の貯留槽へ移送した後に、配管２６の水没弁２５近傍に接続されたドレン管２７のドレン弁２８を開いて、配管２６のサプレッションチェンバ５と水没弁２５との間に溜まっている水７を排出させている。
【０００９】
【発明が解決しようとする課題】
ところが、近年、水７を貯留した状態でサプレッションチェンバ５の内面の塗装補修が可能な工法が開発され、サプレッションチェンバ５の水７を抜く間隔が長くなって、水没弁２５の開放点検を実施できる機会が減少する傾向を呈しているが、水没弁２５の健全性を確認するためには、当該水没弁２５の開放点検の間隔を短くすることが望ましい。
【００１０】
また、サプレッションチェンバ５に水７を貯留した状態で、潜水作業により吸引管１０に対する両ストレーナ１１，１２の締結を解除したうえ、吸引管１０のチェンバ５内方端の両開口部分をそれぞれ閉止用フランジで閉塞して、サプレッションチェンバ５から外部への水７の流出を抑止することも考えられるが、吸引管１０と両ストレーナ１１，１２とのフランジ締結には、多数のボルトが用いられており、このボルトを水中で脱着することは容易ではない。
【００１１】
本発明は上述した実情に鑑みてなしたもので、サプレッションチェンバなどの貯留槽から外部への液体の流出を容易に且つ確実に抑止することを目的としている。
【００１２】
【課題を解決するための手段】
上記目的を達成するため、本発明のサクションストレーナ閉止装置では、貯留槽内に設置された吸引管の貯留槽内方端から吸引管軸線に対して交差する方向へ突出する第１のストレーナの全体、並びに吸引管の第１のストレーナ寄りの周方向半分を被覆可能な第１のブーツと、吸引管の貯留槽内方端から第１のストレーナと略同軸に且つ第１のストレーナとは逆方向へ突出する第２のストレーナの全体、並びに吸引管の第２のストレーナ寄りの周方向半分を被覆可能な第２のブーツと、両ブーツの吸引管軸線に沿って延びる縁部を相互に締結可能な水密ファスナと、吸引管外周面に巻き付け得られ且つ両ブーツの内側面の吸引管周方向に沿って延びる縁部近傍に接し得るシール部材と、両ストレーナ及び吸引管を両ブーツにより被覆し且つ水密ファスナで両ブーツを相互に締結したときに両ブーツの吸引管周方向に沿って延びる縁部近傍を吸引管に固縛し得る固定具とを備え、両ブーツとシール部材とを水密性及び伸縮性を具備した素材によって形成している。
【００１３】
本発明のサクションストレーナ閉止装置の使用方法では、吸引管外周面にシール部材を巻き付け、第１のストレーナの全体、並びに吸引管の第１のストレーナ寄りの周方向半分を第１のブーツで被覆し、第２のストレーナの全体、並びに吸引管の第２のストレーナ寄りの周方向半分を第２のブーツで被覆した後、両ブーツの吸引管軸線に沿って延びる縁部を水密ファスナにより相互に締結し、両ブーツの吸引管周方向に沿って延びる縁部近傍を固定具で吸引管に固縛する。
【００１４】
本発明のサクションストレーナ閉止装置においては、第１のストレーナの全体、並びに吸引管の第１のストレーナ寄りの周方向半分を被覆するように配置した第１のブーツの吸引管軸線に沿って延びる縁部と、第２のストレーナの全体、並びに吸引管の第２のストレーナ寄りの周方向半分を被覆するように配置した第２のブーツの吸引管軸線に沿って延びる縁部とを、水密ファスナで相互に締結して、吸引管外周面に巻き付けたシール部材を両ブーツの内側面の吸引管周方向に沿って延びる縁部近傍に密着させ、更に、両ブーツの吸引管周方向に沿って延びる縁部近傍を固定具により吸引管に固縛して、貯留槽から両ストレーナへの液体の流入を阻止する。
【００１５】
本発明のサクションストレーナ閉止装置の使用方法においては、吸引管外周面に巻き付けたシール部材と、該シール部材に密着し且つストレーナを被覆する両ブーツと、両ブーツを相互に締結する水密ファスナとによって、両ストレーナの水密を保持する。
【００１６】
【発明の実施の形態】
以下、本発明の実施の形態を図面に基づき説明する。
【００１７】
図１及び図２は本発明のサクションストレーナ閉止装置の実施の形態の一例であり、図中、図４と同一の符号を付した部分は同一物を表している。
【００１８】
このサクションストレーナ閉止装置は、第１のブーツ１７、第２のブーツ１８、水密ファスナ１９、シール部材２０、及び固定具２１を備えている。
【００１９】
第１のブーツ１７は、サクションストレーナ８の第１のストレーナ１１の全体、並びに吸引管１０の第１のストレーナ１１寄りの周方向半分を被覆し得るように、水密性及び伸縮性の双方を具備した合成ゴム系素材などによって形成されている。
【００２０】
第２のブーツ１８は、サクションストレーナ８の第２のストレーナ１２の全体、並びに吸引管１０の第２のストレーナ１２寄りの周方向半分を被覆し得るように、第１のブーツ１７と同じ素材によって形成されている。
【００２１】
水密ファスナ１９は、両ブーツ１７，１８の吸引管１０軸線に沿って延びる縁部に、当該縁部を相互に締結し得るように取り付けられている。
【００２２】
シール部材２０は、吸引管１０の外周面に巻き付け得られ且つ両ブーツ１７，１８の内側面の吸引管周方向に沿って延びる縁部近傍に接し得るように、水密性及び伸縮性の双方を具備した合成ゴム系素材などによって形成されている。
【００２３】
固定具２１は、第１のブーツ１７の外側面の吸引管１０周方向に沿って延びる縁部近傍に接し得る略半円形状の第１の外嵌部材２２と、第２のブーツ１８の外側面の吸引管１０周方向に沿って延びる縁部近傍に接し得る略半円形状の第２の外嵌部材２３と、両外嵌部材２２，２３の端部を相互に締結し得るボルト２４とによって構成されている。
【００２４】
図１及び図２に示すサクションストレーナ閉止装置を用いて、サプレッションチェンバ５に貯留されている水７（図３参照）がサクションストレーナ８から外部へ流出しないようにする際には、吸引管１０の外周面にシール部材２０を巻き付ける。
【００２５】
また、第１のストレーナ１１の全体、並びに吸引管１０の第１のストレーナ１１寄りの周方向半分を第１のブーツ１７で被覆し、第２のストレーナ１２の全体、並びに吸引管１０の第２のストレーナ１２寄りの周方向半分を第２のブーツ１８で被覆する。
【００２６】
次いで、両ブーツ１７，１８の吸引管１０軸線に沿って延びる縁部を水密ファスナ１９により相互に締結すると、両ブーツ１７，１８及びシール部材２０の形成素材の伸縮性によって、両ブーツ１７，１８の内側面の吸引管１０周方向に沿って延びる縁部近傍が、シール部材２０を介して吸引管１０の外周面に密着する。
【００２７】
更に、第１の外嵌部材２２及び第２の外嵌部材２３を、両ブーツ１７，１８の外側面の吸引管１０周方向に沿って延びる縁部近傍に外接させたうえ、両外嵌部材２２，２３の端部をボルト２４で相互に締結して、固定具２１により両ブーツ１７，１８を吸引管１０に固縛し、サプレッションチェンバ５に貯留されている水７（図３参照）が両ストレーナ１１，１２へ流入することを阻止する。
【００２８】
このように、図１及び図２に示すサクションストレーナ閉止装置においては、第１のストレーナ１１の全体、並びに吸引管１０の第１のストレーナ１１寄りの周方向半分を被覆するように配置した第１のブーツ１７と、第２のストレーナ１２の全体、並びに吸引管１０の第２のストレーナ１２寄りの周方向半分を被覆するように配置した第２のブーツ１８とを、水密ファスナ１９で相互に締結して、吸引管１０の外周面に巻き付けたシール部材２０を両ブーツ１７，１８の内側面に密着させ、更に、両ブーツ１７，１８を固定具２１により吸引管１０に固縛するので、両ストレーナ１１，１２を閉塞してサプレッションチェンバ５から外部への水７の流出を容易に且つ確実に抑止することができる。
【００２９】
すなわち、上述したサクションストレーナ閉止装置をサプレッションチェンバ５に適用すれば、該サプレッションチェンバ５の水７を抜くことなく非常用炉心冷却系の配管２６に付帯する水没弁２５の開放点検を実施することが可能になり、よって、水没弁２５の開放点検の間隔を短くして、当該水没弁２５の健全性を確認することができる。
【００３０】
なお、本発明のサクションストレーナ閉止装置及び該装置の使用方法は上述した実施の形態のみに限定されるものではなく、本発明をサプレッションチェンバ以外の液体の貯留槽に適用すること、吸引管の外周面が平滑でない場合に吸引管にシール剤を塗布したうえシール部材を巻き付けるようにすること、その他、本発明の要旨を逸脱しない範囲内において種々変更を加え得ることは勿論である。
【００３１】
【発明の効果】
以上述べたように、本発明のサクションストレーナ閉止装置及び該装置の使用方法によれば、下記のような種々の優れた効果を奏し得る。
【００３２】
（１）第１のストレーナの全体、並びに吸引管の第１のストレーナ寄りの周方向半分を被覆するように配置した第１のブーツと、第２のストレーナの全体、並びに吸引管の第２のストレーナ寄りの周方向半分を被覆するように配置した第２のブーツとを、水密ファスナで相互に締結して、吸引管外周面に巻き付けたシール部材を両ブーツの内側面に密着させ、更に、両ブーツを固定具により吸引管に固縛するので、貯留槽から外部への液体の流出を容易に且つ確実に抑止することができる。
【００３３】
（２）両ブーツによってストレーナの水密を保持するので、貯留槽に水を貯留したままで、貯留槽に接続されている配管の種々の弁の開放点検を行うことができる。
【図面の簡単な説明】
【図１】本発明のサクションストレーナ閉止装置の実施の形態の一例を示す部分切断図である。
【図２】図１のＩＩ−ＩＩ矢視図である。
【図３】原子炉設備の一例を示す概念図である。
【図４】サプレッションチェンバ内に設置されるサクションストレーナの一例を示す全体図である。
【図５】サクションストレーナと非常用炉心冷却系の配管との関係を示す斜視図である。
【符号の説明】
５    サプレッションチェンバ（貯留槽）
１０  吸引管
１１  第１のストレーナ
１２  第２のストレーナ
１７  第１のブーツ
１８  第２のブーツ
１９  水密ファスナ
２０  シール部材
２１  固定具
【図１】
0003997342.tif 000002
【図２】
0003997342.tif 000003
【図３】
0003997342.tif 000004
【図４】
0003997342.tif 000005
【図５】
0003997342.tif 000006